(57)【要約】【課題】  記録装置で記録媒体に記録を行う場合に、記録できる残量が、記録モードなどの変化で突然になくなってしまうような、ユーザにとってわかり難い状態が発生することを防止する。【解決手段】  記録可能な最大の記録単位数と、各記録単位内の最大のサブ記録単位数がフォーマットで決められた所定の記録媒体にデータを記録する場合において、記録媒体に記録された記録単位が、最大の記録単位数で、なおかつ最後の記録単位内の最初のサブ記録単位までの記録が行われた時点で、記録媒体に新規の記録をできないように制限するようにした。【選択図】      図３
2006190355.tif 000002
【特許請求の範囲】
【請求項１】
記録可能な最大の記録単位数と、各記録単位内の最大のサブ記録単位数がフォーマットで決められた所定の記録媒体にデータを記録する記録方法において、
前記記録媒体に記録された記録単位が、前記最大の記録単位数で、なおかつ最後の記録単位内の最初のサブ記録単位までの記録が行われた時点で、前記記録媒体に新規の記録をできないように制限することを特徴とする
記録方法。
【請求項２】
請求項１記載の記録方法において、
前記記録媒体に記録された記録単位が、前記最大の記録単位数と判断するのは、前記フォーマットで規定された最大の記録単位数より１つ少ない記録単位数まで記録された状態であることを特徴とする
記録方法。
【請求項３】
請求項２記載の記録方法において、
前記記録媒体は、映像データを記録する記録媒体であり、
前記記録媒体の最後の記録単位には、他の記録単位に記録されたデータから作成した静止映像のデータを記録することを特徴とする
記録方法。
【請求項４】
請求項１記載の記録方法において、
前記制限を行ったとき、記録単位数が最大で新たな記録ができないことを表示させることを特徴とする
記録方法。
【請求項５】
記録可能な最大の記録単位数と、各記録単位内の最大のサブ記録単位数がフォーマットで決められた所定の記録媒体にデータを記録する記録装置において、
前記記録媒体にデータを記録する記録手段と、
前記記録媒体に記録された記録単位が、前記最大の記録単位数で、なおかつ最後の記録単位内の最初のサブ記録単位までの記録が行われた時点で、前記記録手段で記録媒体に新規の記録ができないように制限する制御手段を備えたことを特徴とする
記録装置。
【請求項６】
請求項５記載の記録装置において、
前記制御手段は、記録媒体に記録された記録単位が、前記最大の記録単位数と判断するのは、前記フォーマットで規定された最大の記録単位数より１つ少ない記録単位数まで記録された状態であることを特徴とする
記録装置。
【請求項７】
請求項６記載の記録装置において、
前記記録手段で前記記録媒体に記録するデータは映像データであり、
前記記録手段は、前記制御手段の制御で、記録媒体の最後の記録単位に、他の記録単位に記録されたデータから作成した静止映像のデータを記録することを特徴とする
記録装置。
【請求項８】
請求項５記載の記録装置において、
前記装置の状態を表示する表示手段を備え、
前記制御手段が前記制限を行ったとき、前記表示手段に、記録単位数が最大で新たな記録ができないことを表示させることを特徴とする
記録装置。
【発明の詳細な説明】
【技術分野】
【０００１】
本発明は、例えば、記録可能なＤＶＤ（Digital Video Disc又はDigital Versatile Disc）を記録媒体として用い、これに動画像などを記録するビデオカメラレコーダなどに適用して好適な記録方法及び記録装置に関する。
【背景技術】
【０００２】
近年、記録媒体としてＤＶＤなどの大容量のディスク記録媒体を用いる映像記録再生装置が各種開発されている。また、ビデオカメラと一体化されたディスク記録再生装置（いわゆるビデオカメラレコーダ）についても各種製品化されている。
【０００３】
このようなディスクを記録媒体として使用した映像記録再生装置は、予め決められた記録容量が一杯になるまでは記録が可能である。例えば、あるビットレートの動画の映像データを１時間分記録可能な容量のディスクを使用したとき、連続して記録させる場合、１時間の記録が可能である。
【０００４】
一方、ＤＶＤなどのディスクに映像データなどを記録する際には、タイトルと称される記録単位と、さらに１タイトル内を複数に分割したチャプタと称されるサブ記録単位とを付与するようにしてある。ＤＶＤビデオのフォーマットでは、１枚のディスクに記録可能な上限のタイトル数が決めてあると共に、１タイトル内の最大のチャプタ数についても決めてある。即ち、１枚のディスクに記録可能なタイトル数は９９に設定してあり、１タイトル内の最大のチャプタ数についても９９に設定してある。
【０００５】
チャプタについては、ビデオカメラレコーダで記録を行う場合には、１回の記録で１チャプタが設定されるようにしてある。即ち、例えばユーザが記録開始を操作してから、次に記録停止が操作されて、そのときの１回の連続した動画の映像データの記録があると、その１つの動画の映像データに、１つのチャプタ番号が付与される。そして、記録の開始と停止を繰り返して、９９チャプタまで記録されると、次の記録を行う際には、タイトル番号が１つ繰り上がり、その繰り上がったタイトル番号での１チャプタとして記録される。
【０００６】
このようにして記録を行っていき、１枚のディスクに、タイトル番号９９の９９チャプタまで記録されると、そのディスクに空き容量があっても、最大のタイトル及びチャプタまで記録されたので、以後の新たな記録はできない構成になっている。特許文献１には、ＤＶＤビデオのフォーマットで記録可能なタイトル数及びチャプタ数についての記載がある。
【特許文献１】特開２００４−２０１１７０号公報
【発明の開示】
【発明が解決しようとする課題】
【０００７】
ところで、ＤＶＤビデオのフォーマットでタイトルが変わる要因としては、上述したチャプタ数が最大になった場合や、ユーザ操作で強制的にタイトルを変えた場合の他に、映像データの記録状態を変更した場合などもある。即ち、１つのタイトル中に記録される映像データは、同じフォーマットの映像データである必要があり、記録フォーマットや記録モードなどを変更する操作を途中で行った場合には、その操作を行った時点で、次に記録されるタイトル数が１つ繰り上がったものに変更される。
【０００８】
具体的には、例えばＤＶＤビデオで記録されるモードとして、複数の記録モードが用意してあり、記録モードによってデータのビットレートや画サイズが変化して、１枚のディスクに記録できる最大の時間が変化する。例えば、１枚のディスクに２０分の記録ができるＨＱモード、３０分の記録ができるＳＰモード、６０分の記録ができるＬＰモードが用意された機種がある（ＨＱモード、ＳＰモードなどの名称や記録可能な時間は、レコーダのメーカによって異なる場合もある）。ここで、特に画サイズ（１フレームの画像を構成する画素数）が変化するような記録モード変更がある場合には、必ずタイトルを別のタイトルに変化させる必要がある。
【０００９】
また、記録される画像のアスペクト比を変化させる操作があった場合にも、記録タイトルが別のタイトルに変化する。
【００１０】
このようなモードや記録状態の変更でタイトルが変化した場合に、そのディスクに記録中のタイトル数が、最大のタイトル数よりも十分に余裕がある状態の場合には、特に問題はないが、最大のタイトル数まで記録された状態の場合、ディスクの空き容量があっても、モードや記録状態の変更を行うと同時に、そのディスクへの新たな記録ができない状態になってしまう。
【００１１】
即ち、単純に録画の開始と停止を繰り返しているだけの場合には、９９タイトルの９９チャプタまで記録可能であるので、例えば９９タイトルの１９チャプタまで記録が済んだ状態で、まだディスクには現在のモードで１０分の記録残量があることを表示でユーザが確認したとする。このとき、そのままの記録モードの場合には、最大のチャプタ数である９９チャプタまで記録が可能であり、ディスクの残量がある限りは、あと８０チャプタの記録が可能である。
【００１２】
ところが、この状態で、記録モードの変更や記録画像のアスペクト比を変更する操作をユーザが行うと、その操作と同時にタイトルを変更する必要があるが、既に最大タイトルまで記録されて、タイトルを変更する余裕がないので、その変更した時点でいきなりディスクの記録残量なしに変化してしまう。
【００１３】
このような事態が発生すると、操作を行ったユーザにとっては、記録できる残量があることを案内表示で確認していたのに、モード変更などの操作を行った時点で、突然記録残量なしに変化してしまうので、なぜこのようなことが起こるのか理解できない場合が多く、ユーザにとって判りやすい操作形態であるとは言えなかった。
【００１４】
なお、ここまでの説明では、ビデオカメラレコーダでＤＶＤビデオのフォーマットで記録を行う場合の問題について説明したが、その他のフォーマットのディスクなどの記録媒体に映像データなどのデータを記録する場合にも、記録単位について同様な制限があるのが一般的であり、そのような記録単位についての制限がある記録媒体に記録を行う場合には、記録を行う上での同様な問題がある。
【００１５】
本発明はかかる点に鑑みてなされたものであり、この種の記録装置で記録を行う場合に、記録できる残量が、記録モードなどの変化で突然になくなってしまうような、ユーザにとってわかり難い状態が発生することを防止することを目的とする。
【課題を解決するための手段】
【００１６】
本発明は、記録可能な最大の記録単位数と、各記録単位内の最大のサブ記録単位数がフォーマットで決められた所定の記録媒体にデータを記録する場合において、記録媒体に記録された記録単位が、最大の記録単位数で、なおかつ最後の記録単位内の最初のサブ記録単位までの記録が行われた時点で、記録媒体に新規の記録をできないように制限するようにしたものである。
【００１７】
このようにしたことで、記録媒体に新たな記録が可能な状態の場合には、少なくとも記録単位数が最後の記録単位の１つ前の状態となり、記録モードなどを変更させて新たに記録を開始させた場合であっても、モードなどを変化させずに記録を開始させた場合であっても、同じ条件で最大の記録状態が設定されるようになる。
【発明の効果】
【００１８】
本発明によると、記録媒体に新たな記録が可能な状態の場合には、少なくとも記録単位数が最後の記録単位の１つ前の状態となり、記録モードなどを変更させて新たに記録を開始させた場合であっても、モードなどを変化させずに記録を開始させた場合であっても、同じ条件で最大の記録状態が設定されるようになり、操作条件の違いで媒体に記録できる残量が異なることを効果的に防止できる。従って、ユーザにとって判りやすい操作環境を提供できる。
【００１９】
この場合、記録媒体に記録された記録単位が、最大の記録単位数と判断するのは、フォーマットで規定された最大の記録単位数より１つ少ない記録単位数まで記録された状態であることで、例えば、最後の記録単位に、インデックス用のデータなどを記録する余裕が生じ、良好な記録が可能になる。
【００２０】
また、この最大の記録単位数より１つ少ない記録単位数まで記録された状態である場合に、さらに記録媒体は、映像データを記録する記録媒体であり、記録媒体の最後の記録単位には、他の記録単位に記録されたデータから作成した静止映像のデータを記録することで、静止映像によるインデックス用のデータを記録できるようになる。
【００２１】
また、制限を行ったとき、記録単位数が最大で新たな記録ができないことを表示させるようにしたことで、記録ができない状態をユーザに的確に告知できるようになる。
【発明を実施するための最良の形態】
【００２２】
以下、本発明の一実施の形態を、添付図面を参照して説明する。
【００２３】
本例においては、ビデオカメラレコーダに適用した例としてある。まず、図１を参照して、本例のビデオカメラレコーダの構成について説明する。本例のビデオカメラレコーダ１００は、記録（記憶）媒体としてＤＶＤと称されるディスク記録媒体を用いる映像記録再生装置としてあり、撮像を行うカメラ部１０と、ディスクへの記録及び再生を行う記録再生部２０とを備える。
【００２４】
カメラ部１０は、レンズなどで構成される光学系１１と、その光学系１１で結像した像光を電気信号に変換するイメージャ部１２と、イメージャ部１２で得られた撮像信号を所定のフォーマットのデジタル映像データとする撮像処理部１３とを備える。また、マイクロフォン１４と音声処理部１５とを備えて、マイクロフォン１４が拾った音声信号を音声処理部１５でデジタルオーディオデータとする処理が行われる。このカメラ部１０での映像及び音声の処理動作は、制御部３０からの指令に基づいた制御で実行される。即ち、制御部３０内のヒューマンインターフェイス制御部３２からの指令で、撮像や音声の取り込みが制御され、信号系制御部３３からの指令で、映像や音声の処理状態が設定される。映像データについては、動画データとして取り込む場合と静止画データとして取り込む場合があり、それぞれで処理状態が異なる。音声信号については、マイクロフォン１４の他に、図示しない外部マイクロフォンを接続することも可能としてあり、接続されるマイクロフォンの構成やユーザ操作で設定された音声モードにより、音声信号を取り込むモードについても複数設定できるようにしてある。例えば、２チャンネルステレオ記録モード、５．１チャンネル記録モードなどが設定できる。
【００２５】
カメラ部１０が出力するデジタル映像データ及びデジタル音声データは、記録再生部２０内の符号化／復号化部２１に供給して、記録用に符号化する。例えば、動画の記録を行う際には、映像データと音声データを、ＭＰＥＧ(Moving Picture Experts Group)２方式で符号化する。映像データを静止画として記録する際には、ＪＰＥＧ(Joint Photographic Experts Group)方式で符号化する。符号化／復号化部２１で符号化する際には、制御部３０側から指示された符号化率や画サイズで符号化が行われる。符号化されたデータは、ディスクへの記録が行われるまでの間、符号化／復号化部２１に接続されたバッファメモリ２４に一時蓄積させる。
【００２６】
バッファメモリ２４に蓄積された符号化されたデータは、記録されるタイミングになると、ディスク記録再生部２２に読み出されて、ディスク２３に記録するための処理が行われて、図示しない光学ピックアップからのレーザ光の照射で、ディスク２３にデータを記録する。また、ディスク２３に記録されたデータは、ディスク記録再生部２２で読み出されて符号化／復号化部２１に送られて、ＭＰＥＧ２方式からの復号化が行われ、復号された映像データ及び音声データが、入出力処理部２５に送られて、端子部２６から外部に出力される。記録再生部２０での記録や再生の処理動作は、制御部３０からの指令に基づいた制御で実行される。即ち、制御部３０内のディスク制御部３１の制御で、ディスクへの記録や再生が実行される。
【００２７】
端子部２６としては、アナログの映像信号及び音声信号として入力及び出力を行う端子の他に、デジタルデータとして入力及び出力を行う端子も備える。デジタルデータ用の端子としては、例えばＩＥＥＥ（The Institute of Electrical and Electronics Engineers ）１３９４方式の規格の端子（ポート）、ＵＳＢ（Universal Serial Bus）規格の端子（ポート）などがあり、該当する規格の端子を備えた映像機器やコンピュータ装置などと映像データや音声データのやりとりが行える。なお、コンピュータ装置などの情報処理装置と接続して、各種データをこのビデオカメラレコーダが受信する場合もある。
【００２８】
制御部３０の構成としては、それぞれが制御動作を行うマイクロコンピュータで構成された、ディスク制御部３１とヒューマンインターフェイス制御部３２と信号系制御部３３と表示制御部３４とを備える。ヒューマンインターフェイス制御部３２には、操作キーやタッチパネルなどの操作入力部４１からの操作入力データが供給され、その操作入力に基づいて、ビデオカメラレコーダの各部の動作状態を対応した状態に制御する。また、発光ダイオードなどで構成されたパイロットランプ４２の点灯の制御を、ヒューマンインターフェイス制御部３２が行うようにしてある。パイロットランプ４２は、録画中であることを示す録画ランプとして使用される。
【００２９】
信号系制御部３３は、カメラ部１０や記録再生部２０での信号の処理経路などを設定する制御が行われる。表示制御部３４は、ヒューマンインターフェイス制御部３２からの指令に基づいて、この機器がモニタ用として備える表示部４３での表示を制御する。表示部４３は、例えば液晶表示パネルで構成されて、撮影映像や再生映像を画像として表示させる。また、ヒューマンインターフェイス制御部３２からの指令に基づいた表示制御部３４の制御で、各種メッセージなどを、画像中に文字や図形でＯＳＤ（On Screen Display）表示させるようにしてある。ＯＳＤ表示させるために必要な文字や図形のデータについては、表示制御部３４が備えるメモリ（図示せず）に予め用意してある。ＯＳＤ表示されるメッセージとしては、例えばディスクへの記録可能な残量などがある。また本例の表示部４３の表示画面上は、タッチパネルとして構成してあり、表示部４３の表示画面上をユーザが触れることで、表示された機能の操作が行える。
【００３０】
ディスク制御部３１には、このディスク制御部３１での制御動作を行うためのプログラムが記憶されたフラッシュメモリ５１が接続してある。このフラッシュメモリ５１に記憶されたプログラムで、ディスク制御部３１が制御できる機能が決まる。ディスク制御部３１がディスク２３への記録制御を行う際には、ＤＶＤビデオのフォーマットで決められた記録単位及びサブ記録単位である、タイトルとチャプタで記録単位を決めるようにしてあり、最大の記録可能タイトル及びチャプタについても、ヒューマンインターフェイス制御部３２からの指示で、フォーマットで決められた範囲内で設定される。
【００３１】
ヒューマンインターフェイス制御部３２には、このヒューマンインターフェイス制御部３２での処理のためにデータを一時蓄積するＳＤＲＡＭ６１と、ヒューマンインターフェイス制御部３２での制御動作を行うためのプログラムが記憶されたフラッシュメモリ６２と、設定データなどが記憶されたＥ２ＰＲＯＭ６３とが接続してある。本例の場合には、ディスク２３に記録可能な最大のタイトル数及びチャプタ数を、ヒューマンインターフェイス制御部３２が制限するようにしてある。その制限状態については後述する。
【００３２】
また、本例の制御部３０は、メモリカードインターフェイス部３５を備えて、ビデオカメラレコーダのカードスロットに装着されたメモリカード４４と、レコーダ内の各部とデータ転送が可能な構成としてある。メモリカード４４には、例えば撮影した静止画像データを記憶させることができる。
【００３３】
次に、本例のビデオカメラレコーダ１００で記録を行う場合の、ヒューマンインターフェイス制御部３２などでの制御に基づいて、タイトル数及びチャプタ数の設定処理を行う場合について説明する。本例のビデオカメラレコーダ１００は、ＤＶＤビデオフォーマットでディスク２３に映像及び音声データを記録する記録装置であり、既に背景技術の欄で説明したように、フォーマット上は、１枚のディスクに記録可能なタイトル数は９９で、１タイトル内の最大のチャプタ数についても９９としてある。但し本例においては、動画又は静止画の映像データなどを記録する際には、最大で９８タイトルに制限するようにしてあり、さらに最後のタイトルである９８タイトル目を記録する際には、１チャプタの記録が完了した時点で、ディスクの記録残量があっても、ディスクへの記録がフルであるとして、以後の記録ができないように制限するようにしてある。
【００３４】
まず、通常時のタイトルとチャプタの設定処理を、図２のフローチャートを参照して説明する（図２の処理では本例に特有の制限処理は考慮していない）。まず、記録（録画）開始の操作があるか否か判断し（ステップＳ１）、記録開始操作があると、現在の記録チャプタ数が９９であるか否か判断する（ステップＳ２）。ここで、現在の最後のチャプタ番号が９９である場合には、記録タイトル番号を１つ加算した番号に設定して、新たなタイトル番号の１チャプタとして記録を開始させる（ステップＳ３）。また、ステップＳ２の判断で、最後のチャプタ番号が９９でないと判断した場合には、チャプタ番号を１つ加算した番号に設定して、新たなチャプタとして記録を開始させる（ステップＳ４）。
【００３５】
また、ステップＳ１で記録開始操作がない状況で（即ち記録が停止している状況で）、記録状態を変更させる操作があるか否か判断する（ステップＳ５）。ここでの記録状態の変更とは、例えば画サイズが変化する記録モードの変更操作、記録画像の縦横のアスペクト比を４：３から１６：９（又はその逆）に変更する操作、音声記録モードを変更させる操作などがある。なお、音声記録モードを変更させる場合としては、ユーザ操作で変更させる場合の他に、外部マイクロフォンを外すことで、強制的にモードが変更する場合もある。即ち、設定中の音声モード（例えば５．１チャンネルモード）に対応した外部マイクロフォンが外されて、内蔵マイクロフォンで記録可能なモードが別のモード（例えば２チャンネルモード）であるような場合である。このような記録状態を変更させる操作（又はマイクロフォン取外しなど）があると、次に記録開始操作があった場合には、タイトル数を１つ加算し、その加算されたタイトル番号のチャプタ番号１として記録させる処理を行う（ステップＳ６）。
【００３６】
次に、本例のビデオカメラレコーダ１００に特有の記録禁止処理を、図３のフローチャートを参照して説明する。まず、ユーザからの記録開始操作があるか否か判断し（ステップＳ１１）、記録開始操作がない場合には特に処理を行わず、記録開始操作があると、上限タイトル数の１チャプタまで記録されているか否か判断する（ステップＳ１３）。ここでの上限タイトル数とは、ディスクに９９タイトルまでフォーマット上記録できる構成である場合に、それよりも１つ少ない９８タイトルを上限タイトル数に設定してある。
【００３７】
そして、上限タイトル数の１チャプタまでまだ記録されていない場合には、記録を開始させる（ステップＳ１２）。上限タイトル数の１チャプタまで（即ち９８タイトルの１チャプタ）まで記録されていると判断した場合には、記録開始をさせず、記録禁止状態に制限させる。
【００３８】
この図３のフローチャートの処理は、ディスクへの記録動作そのものも制限であるが、本例においては、表示部４３などでの表示で、記録が禁止される状態であることを文字のメッセージや図形などで表示させるようにしてある。図４のフローチャートは、この記録禁止の状態を表示させる制御状態を示したフローチャートで、例えば、ヒューマンインターフェイス制御部３２などからの表示制御部３４への指令に基づいて、表示部４３での表示状態を示した図である。
【００３９】
まず、タイトル数が変化する処理が実行されたか否か判断し（ステップＳ２１）、タイトル数を変化させる処理が実行されて、上限タイトルの１チャプタが記録されているか否か判断し（ステップＳ２２）、該当する状態である場には、記録不可能を表示部で文字などにより表示させる（ステップＳ２３）。
【００４０】
図５は、上限タイトル数の１チャプタまで記録された場合の、表示部４３での表示例を示した図である。図５（ａ）は、例えば記録開始操作を行った場合における、文字メッセージをＯＳＤ表示させた場合の例であり、上限のタイトル数及びチャプタ数であることを告知する表示として、「シーン数がいっぱいです。記録できません。」と表示させてある。
【００４１】
この図５（ａ）の表示は、例えば上限タイトル数の１チャプタまで記録されて、次に記録を開始させる操作があったときに表示させてもよいが、上限タイトル数の１チャプタ目の記録が終了した時点で、図５（ａ）に示す表示を行うようにしてもよい。
【００４２】
また、このような表示が行われた後に、上限タイトル数の１チャプタ目の記録が行われたディスク２３が装着されたままの状態で放置された場合には、例えば、上限タイトル数の１チャプタまで記録が行われたことの図形での表示として、図５（ｂ）に示すように、中央に楕円形のディスクに斜線を引いた形状の図形を、点滅又は連続的に表示させて、記録できないことを表示させる。このとき、ディスクに記録できる残りの記録可能時間の表示（図５（ｂ）では右上の２段目の時間表示）についても、「０分」と表示させて、これ以上記録できないことを明確に告知させる。
【００４３】
図６は、記録タイトル数及び記録チャプタ数と、表示との関係の例を示した図である。例えば、図６（ａ）に示すように、撮影映像の縦横のアスペクト比が１６：９に設定された状態で、図６（ｂ）に示すように、タイトル数が９７タイトルである状態で、記録開始と記録停止を繰り返して、図６（ｃ）に示すように、９９チャプタまで記録され、更に次の記録が行われると、９８タイトルに変化して、その９８タイトルの１チャプタ目が記録される。そして、その９８タイトルの１チャプタ目の記録が停止した時点で、ディスクに記録残容量があっても、これ以上記録できないことを示す「ディスクフルの表示」が行われる。
【００４４】
このような記録の開始と停止の繰り返しだけでなく、記録状態や記録モードが変化した場合にも、タイトルは変化して、９８タイトルの１チャプタ目になる場合もある。即ち、例えば図６（ｄ）に示すように、撮影映像の縦横のアスペクト比が１６：９に設定された状態で、図６（ｅ），（ｆ）に示すように、タイトル数が９７タイトルで記録した状態で、アスペクト比が４：３に切換えられると、それ以後の記録については、タイトル数が１つ繰り上がり、９８タイトルの１チャプタの記録が終了した時点で、ディスクに記録残容量があっても、これ以上記録できないことを示す「ディスクフルの表示」が行われる。
【００４５】
このようにして本例のビデオカメラレコーダ１００で記録が行われたディスク２３は、最後にファイナライズ処理を行う必要がある。図７のフローチャートは、このファイナライズ処理時の例であり、例えばメニュー画面などでファイナライズ処理の開始が操作されると（ステップＳ３１）、最後のタイトル（９８タイトルまで記録された場合には９９タイトル）に、それ以前のタイトルに記録された映像（動画又は静止画像）から所定の処理で選択された静止画像で構成されたインデックス用のタイトルを作成し、ディスクに記録させる（ステップＳ３２）。そして、さらにディスクのフォーマットで規定された索引用のデータ（いわゆるＴＯＣデータなど）をディスクの所定のエリアに記録させ、未記録部を何らかのデータで埋めるパディング処理などを行い（ステップＳ３３）、ファイナライズ処理を完了させる。
【００４６】
このように記録処理が行われることで、本例のレコーダで記録を行う際には、記録の開始と停止を繰り返すなどして、タイトル数が限界近くまで進んだ状態の場合、単純に記録の開始と停止を繰り返した場合と、記録状態や記録モードを変化させた場合といずれの場合でも、同じ条件でディスクの記録残量の制御が行われることになる。即ち、記録媒体に新たな記録が可能な状態の場合には、少なくとも記録単位数が最後のタイトルの１つ前の状態となり、記録モードなどを変更させて新たに記録を開始させた場合であっても、モードなどを変化させずに記録を開始させた場合であっても、同じ条件で最大の記録状態が設定されるようになり、操作条件の違いでディスクに記録できる残量が異なることを効果的に防止できる。従って、ユーザにとって判りやすい操作環境を提供できる。従来は、単純に記録の開始と停止を繰り返した場合、９８タイトルの９９チャプタまで記録できるのに対し、記録モードなどを変化させた場合には、それ以前のチャプタでも記録が制限される場合があり、ユーザにとって判り難い処理であったが、本例の場合にはそのような不具合がない。
【００４７】
なお、上述した実施の形態の場合には、最終タイトル（９９タイトル）でインデックス用の画像記録を行うようにしたので、最終タイトルの１つ前で記録を制限されるようにしたが、このようなインデックス用の画像記録を行わない場合には、最終タイトルの１チャプタまで記録を許容させるようにしてもよい。このように最大の記録単位数は、フォーマットによって決定しても良いし、装置によって、フォーマットによって制限される数以上に制限させるように予め設定しても良い。
【００４８】
また、上述した実施の形態では、ビデオカメラレコーダでＤＶＤフォーマットのディスクへの記録を行う場合について説明したが、その他の各種記録媒体（他のフォーマットのディスクやメモリカードなど）への記録を行う場合に、同様の記録制限処理、及びその制限に基づいた表示を行うようにしてもよい。この場合、上述した実施の形態の場合には、ＤＶＤビデオフォーマットで規定されたタイトルとチャプタという単位で制限するようにしたが、それぞれの記録媒体で規定された記録単位（上述したタイトル）と、１記録単位を分割したサブ記録単位（上述したチャプタ）について、同様の記録制限を行うようにすればよい。記録されるデータについても、上述した映像データなどに制限されるものではない。即ち、本発明においては、動画データなど、ある所定のデータを記録することができる最大の記録単位数に制限する各種処理に適用可能である。
【図面の簡単な説明】
【００４９】
【図１】本発明の一実施の形態による電子機器（ビデオカメラレコーダ）の例を示す構成図である。
【図２】本発明の一実施の形態によるタイトルとチャプタの設定例を示したフローチャートである。
【図３】本発明の一実施の形態による記録禁止制御の処理例を示したフローチャートである。
【図４】本発明の一実施の形態による記録禁止の表示処理例を示したフローチャートである。
【図５】本発明の一実施の形態による表示例を示した説明図である。
【図６】本発明の一実施の形態による記録状態の例を、タイトル数とチャプタ数の変化で示した説明図である。
【図７】本発明の一実施の形態によるファイナライズ処理例を示したフローチャートである。
【符号の説明】
【００５０】
１０…カメラ部、１１…光学系、１２…イメージャ部、１３…撮像処理部、１４…マイクロフォン、１５…音声処理部、２０…記録再生部、２１…符号化／復号化部、２２…ディスク記録再生部、２３…ディスク、２４…バッファメモリ、２５…入出力処理部、２６…端子部、３０…制御部、３１…ディスク制御部、３２…ヒューマンインターフェイス制御部、３３…信号系制御部、３４…表示制御部、３５…メモリカードインターフェイス部、４１…操作入力部、４２…パイロットランプ、４３…表示部、４４…メモリカード、５１…フラッシュメモリ、６１…ＳＤＲＡＭ、６２…フラッシュメモリ、６３…ＥＥＰＲＯＭ、１００…ビデオカメラレコーダ
【図１】
2006190355.tif 000003
【図２】
2006190355.tif 000004
【図３】
2006190355.tif 000005
【図４】
2006190355.tif 000006
【図５】
2006190355.tif 000007
【図６】
2006190355.tif 000008
【図７】
2006190355.tif 000009